【手続補正書】
【提出日】令和3年8月2日(2021.8.2)
【手続補正１】
【補正対象書類名】特許請求の範囲
【補正対象項目名】全文
【補正方法】変更
【補正の内容】
【特許請求の範囲】
【請求項１】
車両（Ａ）において用いられ、ヘッドアップディスプレイ（２０）によるコンテンツの重畳表示を制御する表示制御装置であって、
前記車両の進行方向前方に注意地点（ＣＰ）が存在するか否かを判定する地点判定部（１０６）と、
前記注意地点が前記ヘッドアップディスプレイの画角（ＶＡ）内に含まれるか否かを判定する画角判定部（１０８）と、
前記地点判定部にて前記注意地点が存在すると判定された場合には、前記注意地点の存在を乗員に提示する注意喚起コンテンツ（ＣＴｓｔｏｐ，ＣＴｃｗ，ＣＴｓｚ，ＣＴｃｓ）を表示させる表示制御部（１０９）と、を備え、
前記地点判定部は、前記注意地点の種別を判別し、前記注意地点としての一時停止位置（ＳＰ）が進行方向前方に存在するか否かを判定し、前記一時停止位置が踏切（ＲａＣ）に関連した前記注意地点であるか否かをさらに判定し、
前記表示制御部は、
前記画角判定部にて前記注意地点が前記画角内に含まれると判定された場合には、前記注意地点が重畳対象である重畳コンテンツ（ＣＴｓ）として前記注意喚起コンテンツを表示させ、
前記注意地点が前記画角内に含まれないと判定された場合には、重畳対象が特定されない非重畳コンテンツ（ＣＴｎ）として前記注意喚起コンテンツを表示させ、
前記地点判定部にて判別された種別に関連付けられる前記注意喚起コンテンツにより、前記注意地点の存在を乗員に提示し、
前記地点判定部にて前記一時停止位置が存在すると判定された場合には、前記一時停止位置の存在を提示する前記注意喚起コンテンツを表示させ、
前記地点判定部にて前記一時停止位置が前記踏切に関連していると判定された場合に、前記一時停止位置が前記踏切に関連していないと判定された場合よりも、前記一時停止位置を強調する様態で前記注意喚起コンテンツを表示させる表示制御装置。
【請求項２】
前記地点判定部は、前記注意地点としての横断歩道（ＣＷ）が進行方向前方に存在するか否かを判定し、
前記表示制御部は、
前記横断歩道上又は前記横断歩道の周辺に横断者がいるか否かを判定し、
前記地点判定部にて前記横断歩道が存在すると判定され、且つ、前記横断者がいると判定した場合には、前記横断歩道の存在を乗員に提示する前記注意喚起コンテンツを表示させる請求項１に記載の表示制御装置。
【請求項３】
前記表示制御部は、
現在が夜間か否かを判定し、
現在が夜間であると判定した場合には、前記横断者の有無にかかわらず、前記地点判定部にて存在を判定された前記横断歩道を、前記注意喚起コンテンツによって乗員に提示する請求項２に記載の表示制御装置。
【請求項４】
前記地点判定部は、前記横断歩道について信号機の有無をさらに判定し、
前記表示制御部は、前記地点判定部にて信号機があると判定された前記横断歩道を、前記注意喚起コンテンツによって存在を提示する提示対象から除外する請求項２又は３に記載の表示制御装置。
【請求項５】
前記表示制御部は、
前記横断歩道のリスクレベルを判定し、
前記横断歩道のリスクレベルが閾値よりも高いと判定した場合、前記横断者の有無にかかわらず、前記地点判定部にて存在を判定された前記横断歩道を、前記注意喚起コンテンツによって乗員に提示する請求項２〜４のいずれか一項に記載の表示制御装置。
【請求項６】
車両（Ａ）において用いられ、ヘッドアップディスプレイ（２０）によるコンテンツの重畳表示を制御する表示制御装置であって、
前記車両の進行方向前方に注意地点（ＣＰ）が存在するか否かを判定する地点判定部（１０６）と、
前記注意地点が前記ヘッドアップディスプレイの画角（ＶＡ）内に含まれるか否かを判定する画角判定部（１０８）と、
前記地点判定部にて前記注意地点が存在すると判定された場合には、前記注意地点の存在を乗員に提示する注意喚起コンテンツ（ＣＴｓｔｏｐ，ＣＴｃｗ，ＣＴｓｚ，ＣＴｃｓ）を表示させる表示制御部（１０９）と、を備え、
前記地点判定部は、前記注意地点の種別を判別し、前記注意地点としての横断歩道（ＣＷ）が進行方向前方に存在するか否かを判定し、
前記表示制御部は、
前記画角判定部にて前記注意地点が前記画角内に含まれると判定された場合には、前記注意地点が重畳対象である重畳コンテンツ（ＣＴｓ）として前記注意喚起コンテンツを表示させ、
前記注意地点が前記画角内に含まれないと判定された場合には、重畳対象が特定されない非重畳コンテンツ（ＣＴｎ）として前記注意喚起コンテンツを表示させ、
前記地点判定部にて判別された種別に関連付けられる前記注意喚起コンテンツにより、前記注意地点の存在を乗員に提示し、
前記横断歩道上又は前記横断歩道の周辺に横断者がいるか否かを判定し、
前記地点判定部にて前記横断歩道が存在すると判定され、且つ、前記横断者がいると判定した場合には、前記横断歩道の存在を乗員に提示する前記注意喚起コンテンツを表示させ、
現在が夜間か否かを判定し、
現在が夜間であると判定した場合には、前記横断者の有無にかかわらず、前記地点判定部にて存在を判定された前記横断歩道を、前記注意喚起コンテンツによって乗員に提示する表示制御装置。
【請求項７】
前記地点判定部は、前記横断歩道について信号機の有無をさらに判定し、
前記表示制御部は、前記地点判定部にて信号機があると判定された前記横断歩道を、前記注意喚起コンテンツによって存在を提示する提示対象から除外する請求項６に記載の表示制御装置。
【請求項８】
車両（Ａ）において用いられ、ヘッドアップディスプレイ（２０）によるコンテンツの重畳表示を制御する表示制御装置であって、
前記車両の進行方向前方に注意地点（ＣＰ）が存在するか否かを判定する地点判定部（１０６）と、
前記注意地点が前記ヘッドアップディスプレイの画角（ＶＡ）内に含まれるか否かを判定する画角判定部（１０８）と、
前記地点判定部にて前記注意地点が存在すると判定された場合には、前記注意地点の存在を乗員に提示する注意喚起コンテンツ（ＣＴｓｔｏｐ，ＣＴｃｗ，ＣＴｓｚ，ＣＴｃｓ）を表示させる表示制御部（１０９）と、を備え、
前記地点判定部は、前記注意地点の種別を判別し、前記注意地点としての横断歩道（ＣＷ）が進行方向前方に存在するか否かを判定し、前記横断歩道について信号機の有無をさらに判定し、
前記表示制御部は、
前記画角判定部にて前記注意地点が前記画角内に含まれると判定された場合には、前記注意地点が重畳対象である重畳コンテンツ（ＣＴｓ）として前記注意喚起コンテンツを表示させ、
前記注意地点が前記画角内に含まれないと判定された場合には、重畳対象が特定されない非重畳コンテンツ（ＣＴｎ）として前記注意喚起コンテンツを表示させ、
前記地点判定部にて判別された種別に関連付けられる前記注意喚起コンテンツにより、前記注意地点の存在を乗員に提示し、
前記横断歩道上又は前記横断歩道の周辺に横断者がいるか否かを判定し、
前記地点判定部にて前記横断歩道が存在すると判定され、且つ、前記横断者がいると判定した場合には、前記横断歩道の存在を乗員に提示する前記注意喚起コンテンツを表示させ、
前記地点判定部にて信号機があると判定された前記横断歩道を、前記注意喚起コンテンツによって存在を提示する提示対象から除外する表示制御装置。
【請求項９】
前記表示制御部は、
前記横断歩道のリスクレベルを判定し、
前記横断歩道のリスクレベルが閾値よりも高いと判定した場合、前記横断者の有無にかかわらず、前記地点判定部にて存在を判定された前記横断歩道を、前記注意喚起コンテンツによって乗員に提示する請求項６〜８のいずれか一項に記載の表示制御装置。
【請求項１０】
車両（Ａ）において用いられ、ヘッドアップディスプレイ（２０）によるコンテンツの重畳表示を制御する表示制御装置であって、
前記車両の進行方向前方に注意地点（ＣＰ）が存在するか否かを判定する地点判定部（１０６）と、
前記注意地点が前記ヘッドアップディスプレイの画角（ＶＡ）内に含まれるか否かを判定する画角判定部（１０８）と、
前記地点判定部にて前記注意地点が存在すると判定された場合には、前記注意地点の存在を乗員に提示する注意喚起コンテンツ（ＣＴｓｔｏｐ，ＣＴｃｗ，ＣＴｓｚ，ＣＴｃｓ）を表示させる表示制御部（１０９）と、を備え、
前記地点判定部は、前記注意地点の種別を判別し、前記注意地点としての横断歩道（ＣＷ）が進行方向前方に存在するか否かを判定し、
前記表示制御部は、
前記画角判定部にて前記注意地点が前記画角内に含まれると判定された場合には、前記注意地点が重畳対象である重畳コンテンツ（ＣＴｓ）として前記注意喚起コンテンツを表示させ、
前記注意地点が前記画角内に含まれないと判定された場合には、重畳対象が特定されない非重畳コンテンツ（ＣＴｎ）として前記注意喚起コンテンツを表示させ、
前記地点判定部にて判別された種別に関連付けられる前記注意喚起コンテンツにより、前記注意地点の存在を乗員に提示し、
前記横断歩道上又は前記横断歩道の周辺に横断者がいるか否かを判定し、
前記地点判定部にて前記横断歩道が存在すると判定され、且つ、前記横断者がいると判定した場合には、前記横断歩道の存在を乗員に提示する前記注意喚起コンテンツを表示させ、
前記横断歩道のリスクレベルを判定し、
前記横断歩道のリスクレベルが閾値よりも高いと判定した場合、前記横断者の有無にかかわらず、前記横断歩道を前記注意喚起コンテンツによって乗員に提示する表示制御装置。
【請求項１１】
前記地点判定部は、前記注意地点としての一時停止位置（ＳＰ）が進行方向前方に存在するか否かを判定し、
前記表示制御部は、前記地点判定部にて前記一時停止位置が存在すると判定された場合には、前記一時停止位置の存在を提示する前記注意喚起コンテンツを表示させる請求項６〜１０のいずれか一項に記載の表示制御装置。
【請求項１２】
前記地点判定部は、前記一時停止位置が踏切（ＲａＣ）に関連した前記注意地点であるか否かをさらに判定し、
前記表示制御部は、前記地点判定部にて前記一時停止位置が前記踏切に関連していると判定された場合に、前記一時停止位置が前記踏切に関連していないと判定された場合よりも、前記一時停止位置を強調する様態で前記注意喚起コンテンツを表示させる請求項１１に記載の表示制御装置。
【請求項１３】
前記表示制御部は、
前記一時停止位置のリスクレベルを判定し、
前記一時停止位置のリスクレベルが高くなるほど、前記一時停止位置の強調度合いが大きくなるように前記注意喚起コンテンツを表示させる請求項１〜５、１１及び１２のいずれか一項に記載の表示制御装置。
【請求項１４】
前記地点判定部は、前記注意地点としてのスクールゾーン（ＳＺ）が進行方向前方に存在するか否かを判定し、
前記表示制御部は、
前記スクールゾーンの交通規制が有効な規制時間帯に現在が含まれるか否かを判定し、
前記地点判定部にて前記スクールゾーンが存在すると判定し、且つ、現在が前記規制時間帯に含まれると判定した場合には、前記スクールゾーンの存在を乗員に提示する前記注意喚起コンテンツを表示させる請求項１〜１３のいずれか一項に記載の表示制御装置。
【請求項１５】
前記表示制御部は、
前記スクールゾーンのリスクレベルを判定し、
前記スクールゾーンのリスクレベルが閾値よりも高いと判定した場合、前記規制時間帯か否かにかかわらず、前記地点判定部にて存在を判定された前記スクールゾーンを、前記注意喚起コンテンツによって乗員に提示する請求項１４に記載の表示制御装置。
【請求項１６】
車両（Ａ）において用いられ、ヘッドアップディスプレイ（２０）によるコンテンツの重畳表示を制御する表示制御装置であって、
前記車両の進行方向前方に注意地点（ＣＰ）が存在するか否かを判定する地点判定部（１０６）と、
前記注意地点が前記ヘッドアップディスプレイの画角（ＶＡ）内に含まれるか否かを判定する画角判定部（１０８）と、
前記地点判定部にて前記注意地点が存在すると判定された場合には、前記注意地点の存在を乗員に提示する注意喚起コンテンツ（ＣＴｓｔｏｐ，ＣＴｃｗ，ＣＴｓｚ，ＣＴｃｓ）を表示させる表示制御部（１０９）と、を備え、
前記地点判定部は、前記注意地点の種別を判別し、前記注意地点としてのスクールゾーン（ＳＺ）が進行方向前方に存在するか否かを判定し、
前記表示制御部は、
前記画角判定部にて前記注意地点が前記画角内に含まれると判定された場合には、前記注意地点が重畳対象である重畳コンテンツ（ＣＴｓ）として前記注意喚起コンテンツを表示させ、
前記注意地点が前記画角内に含まれないと判定された場合には、重畳対象が特定されない非重畳コンテンツ（ＣＴｎ）として前記注意喚起コンテンツを表示させ、
前記地点判定部にて判別された種別に関連付けられる前記注意喚起コンテンツにより、前記注意地点の存在を乗員に提示し、
前記スクールゾーンの交通規制が有効な規制時間帯に現在が含まれるか否かを判定し、
前記地点判定部にて前記スクールゾーンが存在すると判定し、且つ、現在が前記規制時間帯に含まれると判定した場合には、前記スクールゾーンの存在を乗員に提示し、
前記スクールゾーンのリスクレベルを判定し、
前記スクールゾーンのリスクレベルが閾値よりも高いと判定した場合、前記規制時間帯か否かにかかわらず、前記地点判定部にて存在を判定された前記スクールゾーンを、前記注意喚起コンテンツによって乗員に提示する表示制御装置。
【請求項１７】
前記地点判定部は、前記注意地点としての一時停止位置（ＳＰ）が進行方向前方に存在するか否かを判定し、
前記表示制御部は、前記地点判定部にて前記一時停止位置が存在すると判定された場合には、前記一時停止位置の存在を提示する前記注意喚起コンテンツを表示させる請求項１６に記載の表示制御装置。
【請求項１８】
前記表示制御部は、
前記一時停止位置のリスクレベルを判定し、
前記一時停止位置のリスクレベルが高くなるほど、前記一時停止位置の強調度合いが大きくなるように前記注意喚起コンテンツを表示させる請求項１７に記載の表示制御装置。
【請求項１９】
前記地点判定部は、前記注意地点としての横断歩道（ＣＷ）が進行方向前方に存在するか否かを判定し、
前記表示制御部は、
前記横断歩道上又は前記横断歩道の周辺に横断者がいるか否かを判定し、
前記地点判定部にて前記横断歩道が存在すると判定され、且つ、前記横断者がいると判定した場合には、前記横断歩道の存在を乗員に提示する前記注意喚起コンテンツを表示させる請求項１６〜１８のいずれか一項に記載の表示制御装置。
【請求項２０】
前記車両の走行速度を制御する車速制御機能部（５０ａ）の制御情報を取得する制御情報取得部（１０３）、をさらに備え、
前記表示制御部は、前記注意地点の手前側にて前記車速制御機能部による減速制御が実施される場合、前記減速制御の実施区間（ＤｅＳ１，ＤｅＳ２）を重畳対象として含む減速通知コンテンツ（ＣＴｄ１，ＣＴｄ２，ＣＴｄｃ）を表示させる請求項１〜１９のいずれか一項に記載の表示制御装置。
【請求項２１】
前記表示制御部は、前記注意地点の手前側にて前記車速制御機能部による減速制御が実施される場合、前記注意喚起コンテンツよりも前記注意地点を強調する強調コンテンツ（ＣＴＥ）を、前記注意地点を重畳対象として表示させる請求項２０に記載の表示制御装置。
【請求項２２】
前記表示制御部は、前記減速通知コンテンツを表示させる場合には、前記注意喚起コンテンツの表示を制限する請求項２０又は２１に記載の表示制御装置。
【請求項２３】
車両（Ａ）において用いられ、ヘッドアップディスプレイ（２０）によるコンテンツの重畳表示を制御する表示制御装置であって、
前記車両の進行方向前方に注意地点（ＣＰ）が存在するか否かを判定する地点判定部（１０６）と、
前記注意地点が前記ヘッドアップディスプレイの画角（ＶＡ）内に含まれるか否かを判定する画角判定部（１０８）と、
前記地点判定部にて前記注意地点が存在すると判定された場合には、前記注意地点の存在を乗員に提示する注意喚起コンテンツ（ＣＴｓｔｏｐ，ＣＴｃｗ，ＣＴｓｚ，ＣＴｃｓ）を表示させる表示制御部（１０９）と、
前記車両の走行速度を制御する車速制御機能部（５０ａ）の制御情報を取得する制御情報取得部（１０３）と、を備え、
前記表示制御部は、
前記画角判定部にて前記注意地点が前記画角内に含まれると判定された場合には、前記注意地点が重畳対象である重畳コンテンツ（ＣＴｓ）として前記注意喚起コンテンツを表示させ、
前記注意地点が前記画角内に含まれないと判定された場合には、重畳対象が特定されない非重畳コンテンツ（ＣＴｎ）として前記注意喚起コンテンツを表示させ、
前記注意地点の手前側にて前記車速制御機能部による減速制御が実施される場合、前記減速制御の実施区間（ＤｅＳ１，ＤｅＳ２）を重畳対象として含む減速通知コンテンツ（ＣＴｄ１，ＣＴｄ２，ＣＴｄｃ）を表示させ、前記注意喚起コンテンツよりも前記注意地点を強調する強調コンテンツ（ＣＴＥ）を、前記注意地点を重畳対象として表示させる表示制御装置。
【請求項２４】
前記表示制御部は、前記減速通知コンテンツを表示させる場合には、前記注意喚起コンテンツの表示を制限する請求項２３に記載の表示制御装置。
【請求項２５】
車両（Ａ）において用いられ、ヘッドアップディスプレイ（２０）によるコンテンツの重畳表示を制御する表示制御装置であって、
前記車両の進行方向前方に注意地点（ＣＰ）が存在するか否かを判定する地点判定部（１０６）と、
前記注意地点が前記ヘッドアップディスプレイの画角（ＶＡ）内に含まれるか否かを判定する画角判定部（１０８）と、
前記地点判定部にて前記注意地点が存在すると判定された場合には、前記注意地点の存在を乗員に提示する注意喚起コンテンツ（ＣＴｓｔｏｐ，ＣＴｃｗ，ＣＴｓｚ，ＣＴｃｓ）を表示させる表示制御部（１０９）と、
前記車両の走行速度を制御する車速制御機能部（５０ａ）の制御情報を取得する制御情報取得部（１０３）と、を備え、
前記表示制御部は、
前記画角判定部にて前記注意地点が前記画角内に含まれると判定された場合には、前記注意地点が重畳対象である重畳コンテンツ（ＣＴｓ）として前記注意喚起コンテンツを表示させ、
前記注意地点が前記画角内に含まれないと判定された場合には、重畳対象が特定されない非重畳コンテンツ（ＣＴｎ）として前記注意喚起コンテンツを表示させ、
前記注意地点の手前側にて前記車速制御機能部による減速制御が実施される場合、前記減速制御の実施区間（ＤｅＳ１，ＤｅＳ２）を重畳対象として含む減速通知コンテンツ（ＣＴｄ１，ＣＴｄ２，ＣＴｄｃ）を表示させ、
前記減速通知コンテンツを表示させる場合には、前記注意喚起コンテンツの表示を制限する表示制御装置。
【請求項２６】
前記地点判定部は、前記注意地点の種別を判別し、
前記表示制御部は、前記地点判定部にて判別された種別に関連付けられる前記注意喚起コンテンツにより、前記注意地点の存在を乗員に提示する請求項２３〜２５のいずれか一項に記載の表示制御装置。
【請求項２７】
前記地点判定部は、前記注意地点としての一時停止位置（ＳＰ）が進行方向前方に存在するか否かを判定し、
前記表示制御部は、前記地点判定部にて前記一時停止位置が存在すると判定された場合には、前記一時停止位置の存在を提示する前記注意喚起コンテンツを表示させる請求項２６に記載の表示制御装置。
【請求項２８】
前記表示制御部は、
前記一時停止位置のリスクレベルを判定し、
前記一時停止位置のリスクレベルが高くなるほど、前記一時停止位置の強調度合いが大きくなるように前記注意喚起コンテンツを表示させる請求項２７に記載の表示制御装置。
【請求項２９】
前記地点判定部は、前記注意地点としての横断歩道（ＣＷ）が進行方向前方に存在するか否かを判定し、
前記表示制御部は、
前記横断歩道上又は前記横断歩道の周辺に横断者がいるか否かを判定し、
前記地点判定部にて前記横断歩道が存在すると判定され、且つ、前記横断者がいると判定した場合には、前記横断歩道の存在を乗員に提示する前記注意喚起コンテンツを表示させる請求項２６〜２８のいずれか一項に記載の表示制御装置。
【請求項３０】
前記地点判定部は、前記注意地点としてのスクールゾーン（ＳＺ）が進行方向前方に存在するか否かを判定し、
前記表示制御部は、
前記スクールゾーンの交通規制が有効な規制時間帯に現在が含まれるか否かを判定し、
前記地点判定部にて前記スクールゾーンが存在すると判定し、且つ、現在が前記規制時間帯に含まれると判定した場合には、前記スクールゾーンの存在を乗員に提示する前記注意喚起コンテンツを表示させる請求項２６〜２９のいずれか一項に記載の表示制御装置。
【請求項３１】
前記重畳コンテンツの描画に用いられる地図データについて、精度の高低を判定する地図精度判定部（１０１）、をさらに備え、
前記表示制御部は、前記地図精度判定部にて前記地図データの精度が低いと判定された場合には、前記地図データの精度が高いと判定された場合よりも、前記重畳コンテンツを重畳させる位置を、前記注意地点に対して手前側にずらす設定とする請求項１〜３０のいずれか一項に記載の表示制御装置。
【請求項３２】
前記表示制御部は、前記注意地点に重畳される前記注意喚起コンテンツとしての第１重畳コンテンツに加えて、前記注意地点に関連する物標であって前記注意地点よりも手前側に存在する関連物標（ＳＴ）を重畳対象とする第２重畳コンテンツ（ＣＴｐａ）を準備し、
前記画角判定部は、前記関連物標が前記画角（ＶＡ）内に含まれるか否かをさらに判定し、
前記表示制御部は、前記画角判定部にて前記関連物標が前記画角内に含まれると判定された場合には、前記第２重畳コンテンツを前記関連物標に重畳表示させる請求項１〜３１のいずれか一項に記載の表示制御装置。
【請求項３３】
車両（Ａ）において用いられ、ヘッドアップディスプレイ（２０）によるコンテンツの重畳表示を制御する表示制御プログラムであって、
少なくとも１つの処理部（１１）に、
前記車両の進行方向前方に注意地点（ＣＰ）が存在するか否かを判定し（Ｓ３０）、
前記注意地点が前記ヘッドアップディスプレイの画角（ＶＡ）内に含まれるか否かを判定し（Ｓ９０）、
前記注意地点が存在すると判定し、且つ前記注意地点が前記画角内に含まれると判定した場合には、前記注意地点の存在を示す注意喚起コンテンツ（ＣＴｓｔｏｐ，ＣＴｃｗ，ＣＴｓｚ，ＣＴｃｓ）を、前記注意地点を重畳対象とする重畳コンテンツ（ＣＴｓ）として表示させ（Ｓ１２０）、
前記注意地点が存在すると判定し、且つ前記注意地点が前記画角内に含まれないと判定した場合には、重畳対象が特定されない非重畳コンテンツ（ＣＴｎ）として前記注意喚起コンテンツを表示させ（Ｓ１３０）、
前記注意地点の種別を判別し、判別した種別に関連付けられる前記注意喚起コンテンツにより、前記注意地点の存在を乗員に提示し、
前記注意地点としての一時停止位置（ＳＰ）が進行方向前方に存在するか否かと、前記一時停止位置が踏切（ＲａＣ）に関連した前記注意地点であるか否かと、をさらに判定し、
前記一時停止位置が存在すると判定され、且つ前記一時停止位置が前記踏切に関連していると判定した場合には、前記一時停止位置が前記踏切に関連していないと判定し場合よりも、前記一時停止位置を強調する様態で、前記一時停止位置の存在を提示する前記注意喚起コンテンツを表示させる、
ことを含む処理を実行させる表示制御プログラム。
【請求項３４】
車両（Ａ）において用いられ、ヘッドアップディスプレイ（２０）によるコンテンツの重畳表示を制御する表示制御プログラムであって、
少なくとも１つの処理部（１１）に、
前記車両の進行方向前方に注意地点（ＣＰ）が存在するか否かを判定し（Ｓ３０）、
前記注意地点が前記ヘッドアップディスプレイの画角（ＶＡ）内に含まれるか否かを判定し（Ｓ９０）、
前記注意地点が存在すると判定し、且つ前記注意地点が前記画角内に含まれると判定した場合には、前記注意地点の存在を示す注意喚起コンテンツ（ＣＴｓｔｏｐ，ＣＴｃｗ，ＣＴｓｚ，ＣＴｃｓ）を、前記注意地点を重畳対象とする重畳コンテンツ（ＣＴｓ）として表示させ（Ｓ１２０）、
前記注意地点が存在すると判定し、且つ前記注意地点が前記画角内に含まれないと判定した場合には、重畳対象が特定されない非重畳コンテンツ（ＣＴｎ）として前記注意喚起コンテンツを表示させ（Ｓ１３０）、
前記注意地点の種別を判別し、判別した種別に関連付けられる前記注意喚起コンテンツにより、前記注意地点の存在を乗員に提示し、
前記注意地点としての横断歩道（ＣＷ）が進行方向前方に存在するか否かと、前記横断歩道上又は前記横断歩道の周辺に横断者がいるか否かと、を判定し、前記横断歩道が存在すると判定し、且つ、前記横断者がいると判定した場合には、前記横断歩道の存在を乗員に提示する前記注意喚起コンテンツを表示させ、
現在が夜間か否かを判定し、現在が夜間であると判定した場合には、前記横断者の有無にかかわらず、前記横断歩道を前記注意喚起コンテンツによって乗員に提示する、
ことを含む処理を実行させる表示制御プログラム。
【請求項３５】
車両（Ａ）において用いられ、ヘッドアップディスプレイ（２０）によるコンテンツの重畳表示を制御する表示制御プログラムであって、
少なくとも１つの処理部（１１）に、
前記車両の進行方向前方に注意地点（ＣＰ）が存在するか否かを判定し（Ｓ３０）、
前記注意地点が前記ヘッドアップディスプレイの画角（ＶＡ）内に含まれるか否かを判定し（Ｓ９０）、
前記注意地点が存在すると判定し、且つ前記注意地点が前記画角内に含まれると判定した場合には、前記注意地点の存在を示す注意喚起コンテンツ（ＣＴｓｔｏｐ，ＣＴｃｗ，ＣＴｓｚ，ＣＴｃｓ）を、前記注意地点を重畳対象とする重畳コンテンツ（ＣＴｓ）として表示させ（Ｓ１２０）、
前記注意地点が存在すると判定し、且つ前記注意地点が前記画角内に含まれないと判定した場合には、重畳対象が特定されない非重畳コンテンツ（ＣＴｎ）として前記注意喚起コンテンツを表示させ（Ｓ１３０）、
前記注意地点の種別を判別し、判別した種別に関連付けられる前記注意喚起コンテンツにより、前記注意地点の存在を乗員に提示し、
前記注意地点としての横断歩道（ＣＷ）が進行方向前方に存在するか否かと、前記横断歩道上又は前記横断歩道の周辺に横断者がいるか否かと、を判定し、前記横断歩道が存在すると判定し、且つ、前記横断者がいると判定した場合には、前記横断歩道の存在を乗員に提示する前記注意喚起コンテンツを表示させ、
前記横断歩道についての信号機の有無を判定し、信号機があると判定した前記横断歩道を、前記注意喚起コンテンツによって存在を提示する提示対象から除外する、
ことを含む処理を実行させる表示制御プログラム。
【請求項３６】
車両（Ａ）において用いられ、ヘッドアップディスプレイ（２０）によるコンテンツの重畳表示を制御する表示制御プログラムであって、
少なくとも１つの処理部（１１）に、
前記車両の進行方向前方に注意地点（ＣＰ）が存在するか否かを判定し（Ｓ３０）、
前記注意地点が前記ヘッドアップディスプレイの画角（ＶＡ）内に含まれるか否かを判定し（Ｓ９０）、
前記注意地点が存在すると判定し、且つ前記注意地点が前記画角内に含まれると判定した場合には、前記注意地点の存在を示す注意喚起コンテンツ（ＣＴｓｔｏｐ，ＣＴｃｗ，ＣＴｓｚ，ＣＴｃｓ）を、前記注意地点を重畳対象とする重畳コンテンツ（ＣＴｓ）として表示させ（Ｓ１２０）、
前記注意地点が存在すると判定し、且つ前記注意地点が前記画角内に含まれないと判定した場合には、重畳対象が特定されない非重畳コンテンツ（ＣＴｎ）として前記注意喚起コンテンツを表示させ（Ｓ１３０）、
前記注意地点の種別を判別し、判別した種別に関連付けられる前記注意喚起コンテンツにより、前記注意地点の存在を乗員に提示し、
前記注意地点としての横断歩道（ＣＷ）が進行方向前方に存在するか否かと、前記横断歩道上又は前記横断歩道の周辺に横断者がいるか否かと、を判定し、前記横断歩道が存在すると判定し、且つ、前記横断者がいると判定した場合には、前記横断歩道の存在を乗員に提示する前記注意喚起コンテンツを表示させ、
前記横断歩道のリスクレベルを判定し、前記横断歩道のリスクレベルが閾値よりも高いと判定した場合、前記横断者の有無にかかわらず、前記横断歩道を前記注意喚起コンテンツによって乗員に提示する、
ことを含む処理を実行させる表示制御プログラム。
【請求項３７】
車両（Ａ）において用いられ、ヘッドアップディスプレイ（２０）によるコンテンツの重畳表示を制御する表示制御プログラムであって、
少なくとも１つの処理部（１１）に、
前記車両の進行方向前方に注意地点（ＣＰ）が存在するか否かを判定し（Ｓ３０）、
前記注意地点が前記ヘッドアップディスプレイの画角（ＶＡ）内に含まれるか否かを判定し（Ｓ９０）、
前記注意地点が存在すると判定し、且つ前記注意地点が前記画角内に含まれると判定した場合には、前記注意地点の存在を示す注意喚起コンテンツ（ＣＴｓｔｏｐ，ＣＴｃｗ，ＣＴｓｚ，ＣＴｃｓ）を、前記注意地点を重畳対象とする重畳コンテンツ（ＣＴｓ）として表示させ（Ｓ１２０）、
前記注意地点が存在すると判定し、且つ前記注意地点が前記画角内に含まれないと判定した場合には、重畳対象が特定されない非重畳コンテンツ（ＣＴｎ）として前記注意喚起コンテンツを表示させ（Ｓ１３０）、
前記注意地点の種別を判別し、判別した種別に関連付けられる前記注意喚起コンテンツにより、前記注意地点の存在を乗員に提示し、
前記注意地点としてのスクールゾーン（ＳＺ）が進行方向前方に存在するか否かと、前記スクールゾーンの交通規制が有効な規制時間帯に現在が含まれるか否かと、を判定し、前記スクールゾーンが存在すると判定し、且つ、現在が前記規制時間帯に含まれると判定した場合には、前記スクールゾーンの存在を乗員に提示する前記注意喚起コンテンツを表示させ、
前記スクールゾーンのリスクレベルを判定し、前記スクールゾーンのリスクレベルが閾値よりも高いと判定した場合、前記規制時間帯か否かにかかわらず、前記スクールゾーンを前記注意喚起コンテンツによって乗員に提示する、
ことを含む処理を実行させる表示制御プログラム。
【請求項３８】
車両（Ａ）において用いられ、ヘッドアップディスプレイ（２０）によるコンテンツの重畳表示を制御する表示制御プログラムであって、
少なくとも１つの処理部（１１）に、
前記車両の進行方向前方に注意地点（ＣＰ）が存在するか否かを判定し（Ｓ３０）、
前記注意地点が前記ヘッドアップディスプレイの画角（ＶＡ）内に含まれるか否かを判定し（Ｓ９０）、
前記注意地点が存在すると判定し、且つ前記注意地点が前記画角内に含まれると判定した場合には、前記注意地点の存在を示す注意喚起コンテンツ（ＣＴｓｔｏｐ，ＣＴｃｗ，ＣＴｓｚ，ＣＴｃｓ）を、前記注意地点を重畳対象とする重畳コンテンツ（ＣＴｓ）として表示させ（Ｓ１２０）、
前記注意地点が存在すると判定し、且つ前記注意地点が前記画角内に含まれないと判定した場合には、重畳対象が特定されない非重畳コンテンツ（ＣＴｎ）として前記注意喚起コンテンツを表示させ（Ｓ１３０）、
前記車両の走行速度を制御する車速制御機能部（５０ａ）の制御情報を取得し、
前記注意地点の手前側にて前記車速制御機能部による減速制御が実施される場合、前記減速制御の実施区間（ＤｅＳ１，ＤｅＳ２）を重畳対象として含む減速通知コンテンツ（ＣＴｄ１，ＣＴｄ２，ＣＴｄｃ）を表示させ、前記注意喚起コンテンツよりも前記注意地点を強調する強調コンテンツ（ＣＴＥ）を、前記注意地点を重畳対象として表示させる、
ことを含む処理を実行させる表示制御プログラム。
【請求項３９】
車両（Ａ）において用いられ、ヘッドアップディスプレイ（２０）によるコンテンツの重畳表示を制御する表示制御プログラムであって、
少なくとも１つの処理部（１１）に、
前記車両の進行方向前方に注意地点（ＣＰ）が存在するか否かを判定し（Ｓ３０）、
前記注意地点が前記ヘッドアップディスプレイの画角（ＶＡ）内に含まれるか否かを判定し（Ｓ９０）、
前記注意地点が存在すると判定し、且つ前記注意地点が前記画角内に含まれると判定した場合には、前記注意地点の存在を示す注意喚起コンテンツ（ＣＴｓｔｏｐ，ＣＴｃｗ，ＣＴｓｚ，ＣＴｃｓ）を、前記注意地点を重畳対象とする重畳コンテンツ（ＣＴｓ）として表示させ（Ｓ１２０）、
前記注意地点が存在すると判定し、且つ前記注意地点が前記画角内に含まれないと判定した場合には、重畳対象が特定されない非重畳コンテンツ（ＣＴｎ）として前記注意喚起コンテンツを表示させ（Ｓ１３０）、
前記車両の走行速度を制御する車速制御機能部（５０ａ）の制御情報を取得し、
前記注意地点の手前側にて前記車速制御機能部による減速制御が実施される場合、前記減速制御の実施区間（ＤｅＳ１，ＤｅＳ２）を重畳対象として含む減速通知コンテンツ（ＣＴｄ１，ＣＴｄ２，ＣＴｄｃ）を表示させ、
前記減速通知コンテンツを表示させる場合には、前記注意喚起コンテンツの表示を制限する、
ことを含む処理を実行させる表示制御プログラム。
【手続補正２】
【補正対象書類名】明細書
【補正対象項目名】０００７
【補正方法】変更
【補正の内容】
【０００７】
開示された表示制御装置のひとつは、車両（Ａ）において用いられ、ヘッドアップディスプレイ（２０）によるコンテンツの重畳表示を制御する表示制御装置であって、車両の進行方向前方に注意地点（ＣＰ）が存在するか否かを判定する地点判定部（１０６）と、注意地点がヘッドアップディスプレイの画角（ＶＡ）内に含まれるか否かを判定する画角判定部（１０８）と、地点判定部にて注意地点が存在すると判定された場合には、注意地点の存在を乗員に提示する注意喚起コンテンツ（ＣＴｓｔｏｐ，ＣＴｃｗ，ＣＴｓｚ，ＣＴｃｓ）を表示させる表示制御部（１０９）と、を備え、地点判定部は、注意地点の種別を判別し、注意地点としての一時停止位置（ＳＰ）が進行方向前方に存在するか否かを判定し、一時停止位置が踏切（ＲａＣ）に関連した注意地点であるか否かをさらに判定し、表示制御部は、画角判定部にて注意地点が画角内に含まれると判定された場合には、注意地点が重畳対象である重畳コンテンツ（ＣＴｓ）として注意喚起コンテンツを表示させ、注意地点が画角内に含まれないと判定された場合には、重畳対象が特定されない非重畳コンテンツ（ＣＴｎ）として注意喚起コンテンツを表示させ、地点判定部にて判別された種別に関連付けられる注意喚起コンテンツにより、注意地点の存在を乗員に提示し、地点判定部にて一時停止位置が存在すると判定された場合には、一時停止位置の存在を提示する注意喚起コンテンツを表示させ、地点判定部にて一時停止位置が踏切に関連していると判定された場合に、一時停止位置が踏切に関連していないと判定された場合よりも、一時停止位置を強調する様態で注意喚起コンテンツを表示させる。
開示された表示制御装置の他のひとつは、車両（Ａ）において用いられ、ヘッドアップディスプレイ（２０）によるコンテンツの重畳表示を制御する表示制御装置であって、車両の進行方向前方に注意地点（ＣＰ）が存在するか否かを判定する地点判定部（１０６）と、注意地点がヘッドアップディスプレイの画角（ＶＡ）内に含まれるか否かを判定する画角判定部（１０８）と、地点判定部にて注意地点が存在すると判定された場合には、注意地点の存在を乗員に提示する注意喚起コンテンツ（ＣＴｓｔｏｐ，ＣＴｃｗ，ＣＴｓｚ，ＣＴｃｓ）を表示させる表示制御部（１０９）と、を備え、地点判定部は、注意地点の種別を判別し、注意地点としての横断歩道（ＣＷ）が進行方向前方に存在するか否かを判定し、表示制御部は、画角判定部にて注意地点が画角内に含まれると判定された場合には、注意地点が重畳対象である重畳コンテンツ（ＣＴｓ）として注意喚起コンテンツを表示させ、注意地点が画角内に含まれないと判定された場合には、重畳対象が特定されない非重畳コンテンツ（ＣＴｎ）として注意喚起コンテンツを表示させ、地点判定部にて判別された種別に関連付けられる注意喚起コンテンツにより、注意地点の存在を乗員に提示し、横断歩道上又は横断歩道の周辺に横断者がいるか否かを判定し、地点判定部にて横断歩道が存在すると判定され、且つ、横断者がいると判定した場合には、横断歩道の存在を乗員に提示する注意喚起コンテンツを表示させ、現在が夜間か否かを判定し、現在が夜間であると判定した場合には、横断者の有無にかかわらず、地点判定部にて存在を判定された横断歩道を、注意喚起コンテンツによって乗員に提示する。
開示された表示制御装置の他のひとつは、車両（Ａ）において用いられ、ヘッドアップディスプレイ（２０）によるコンテンツの重畳表示を制御する表示制御装置であって、車両の進行方向前方に注意地点（ＣＰ）が存在するか否かを判定する地点判定部（１０６）と、注意地点がヘッドアップディスプレイの画角（ＶＡ）内に含まれるか否かを判定する画角判定部（１０８）と、地点判定部にて注意地点が存在すると判定された場合には、注意地点の存在を乗員に提示する注意喚起コンテンツ（ＣＴｓｔｏｐ，ＣＴｃｗ，ＣＴｓｚ，ＣＴｃｓ）を表示させる表示制御部（１０９）と、を備え、地点判定部は、注意地点の種別を判別し、注意地点としての横断歩道（ＣＷ）が進行方向前方に存在するか否かを判定し、横断歩道について信号機の有無をさらに判定し、表示制御部は、画角判定部にて注意地点が画角内に含まれると判定された場合には、注意地点が重畳対象である重畳コンテンツ（ＣＴｓ）として注意喚起コンテンツを表示させ、注意地点が画角内に含まれないと判定された場合には、重畳対象が特定されない非重畳コンテンツ（ＣＴｎ）として注意喚起コンテンツを表示させ、地点判定部にて判別された種別に関連付けられる注意喚起コンテンツにより、注意地点の存在を乗員に提示し、横断歩道上又は横断歩道の周辺に横断者がいるか否かを判定し、地点判定部にて横断歩道が存在すると判定され、且つ、横断者がいると判定した場合には、横断歩道の存在を乗員に提示する注意喚起コンテンツを表示させ、地点判定部にて信号機があると判定された横断歩道を、注意喚起コンテンツによって存在を提示する提示対象から除外する。
開示された表示制御装置の他のひとつは、車両（Ａ）において用いられ、ヘッドアップディスプレイ（２０）によるコンテンツの重畳表示を制御する表示制御装置であって、車両の進行方向前方に注意地点（ＣＰ）が存在するか否かを判定する地点判定部（１０６）と、注意地点がヘッドアップディスプレイの画角（ＶＡ）内に含まれるか否かを判定する画角判定部（１０８）と、地点判定部にて注意地点が存在すると判定された場合には、注意地点の存在を乗員に提示する注意喚起コンテンツ（ＣＴｓｔｏｐ，ＣＴｃｗ，ＣＴｓｚ，ＣＴｃｓ）を表示させる表示制御部（１０９）と、を備え、地点判定部は、注意地点の種別を判別し、注意地点としての横断歩道（ＣＷ）が進行方向前方に存在するか否かを判定し、表示制御部は、画角判定部にて注意地点が画角内に含まれると判定された場合には、注意地点が重畳対象である重畳コンテンツ（ＣＴｓ）として注意喚起コンテンツを表示させ、注意地点が画角内に含まれないと判定された場合には、重畳対象が特定されない非重畳コンテンツ（ＣＴｎ）として注意喚起コンテンツを表示させ、地点判定部にて判別された種別に関連付けられる注意喚起コンテンツにより、注意地点の存在を乗員に提示し、横断歩道上又は横断歩道の周辺に横断者がいるか否かを判定し、地点判定部にて横断歩道が存在すると判定され、且つ、横断者がいると判定した場合には、横断歩道の存在を乗員に提示する注意喚起コンテンツを表示させ、横断歩道のリスクレベルを判定し、横断歩道のリスクレベルが閾値よりも高いと判定した場合、横断者の有無にかかわらず、横断歩道を注意喚起コンテンツによって乗員に提示する。
開示された表示制御装置の他のひとつは、車両（Ａ）において用いられ、ヘッドアップディスプレイ（２０）によるコンテンツの重畳表示を制御する表示制御装置であって、車両の進行方向前方に注意地点（ＣＰ）が存在するか否かを判定する地点判定部（１０６）と、注意地点がヘッドアップディスプレイの画角（ＶＡ）内に含まれるか否かを判定する画角判定部（１０８）と、地点判定部にて注意地点が存在すると判定された場合には、注意地点の存在を乗員に提示する注意喚起コンテンツ（ＣＴｓｔｏｐ，ＣＴｃｗ，ＣＴｓｚ，ＣＴｃｓ）を表示させる表示制御部（１０９）と、を備え、地点判定部は、注意地点の種別を判別し、注意地点としてのスクールゾーン（ＳＺ）が進行方向前方に存在するか否かを判定し、表示制御部は、画角判定部にて注意地点が画角内に含まれると判定された場合には、注意地点が重畳対象である重畳コンテンツ（ＣＴｓ）として注意喚起コンテンツを表示させ、注意地点が画角内に含まれないと判定された場合には、重畳対象が特定されない非重畳コンテンツ（ＣＴｎ）として注意喚起コンテンツを表示させ、地点判定部にて判別された種別に関連付けられる注意喚起コンテンツにより、注意地点の存在を乗員に提示し、スクールゾーンの交通規制が有効な規制時間帯に現在が含まれるか否かを判定し、地点判定部にてスクールゾーンが存在すると判定し、且つ、現在が規制時間帯に含まれると判定した場合には、スクールゾーンの存在を乗員に提示し、スクールゾーンのリスクレベルを判定し、スクールゾーンのリスクレベルが閾値よりも高いと判定した場合、規制時間帯か否かにかかわらず、地点判定部にて存在を判定されたスクールゾーンを、注意喚起コンテンツによって乗員に提示する。
開示された表示制御装置の他のひとつは、車両（Ａ）において用いられ、ヘッドアップディスプレイ（２０）によるコンテンツの重畳表示を制御する表示制御装置であって、車両の進行方向前方に注意地点（ＣＰ）が存在するか否かを判定する地点判定部（１０６）と、注意地点がヘッドアップディスプレイの画角（ＶＡ）内に含まれるか否かを判定する画角判定部（１０８）と、地点判定部にて注意地点が存在すると判定された場合には、注意地点の存在を乗員に提示する注意喚起コンテンツ（ＣＴｓｔｏｐ，ＣＴｃｗ，ＣＴｓｚ，ＣＴｃｓ）を表示させる表示制御部（１０９）と、車両の走行速度を制御する車速制御機能部（５０ａ）の制御情報を取得する制御情報取得部（１０３）と、を備え、表示制御部は、画角判定部にて注意地点が画角内に含まれると判定された場合には、注意地点が重畳対象である重畳コンテンツ（ＣＴｓ）として注意喚起コンテンツを表示させ、注意地点が画角内に含まれないと判定された場合には、重畳対象が特定されない非重畳コンテンツ（ＣＴｎ）として注意喚起コンテンツを表示させ、注意地点の手前側にて車速制御機能部による減速制御が実施される場合、減速制御の実施区間（ＤｅＳ１，ＤｅＳ２）を重畳対象として含む減速通知コンテンツ（ＣＴｄ１，ＣＴｄ２，ＣＴｄｃ）を表示させ、注意喚起コンテンツよりも注意地点を強調する強調コンテンツ（ＣＴＥ）を、注意地点を重畳対象として表示させる。
開示された表示制御装置の他のひとつは、車両（Ａ）において用いられ、ヘッドアップディスプレイ（２０）によるコンテンツの重畳表示を制御する表示制御装置であって、車両の進行方向前方に注意地点（ＣＰ）が存在するか否かを判定する地点判定部（１０６）と、注意地点がヘッドアップディスプレイの画角（ＶＡ）内に含まれるか否かを判定する画角判定部（１０８）と、地点判定部にて注意地点が存在すると判定された場合には、注意地点の存在を乗員に提示する注意喚起コンテンツ（ＣＴｓｔｏｐ，ＣＴｃｗ，ＣＴｓｚ，ＣＴｃｓ）を表示させる表示制御部（１０９）と、車両の走行速度を制御する車速制御機能部（５０ａ）の制御情報を取得する制御情報取得部（１０３）と、を備え、表示制御部は、画角判定部にて注意地点が画角内に含まれると判定された場合には、注意地点が重畳対象である重畳コンテンツ（ＣＴｓ）として注意喚起コンテンツを表示させ、注意地点が画角内に含まれないと判定された場合には、重畳対象が特定されない非重畳コンテンツ（ＣＴｎ）として注意喚起コンテンツを表示させ、注意地点の手前側にて車速制御機能部による減速制御が実施される場合、減速制御の実施区間（ＤｅＳ１，ＤｅＳ２）を重畳対象として含む減速通知コンテンツ（ＣＴｄ１，ＣＴｄ２，ＣＴｄｃ）を表示させ、減速通知コンテンツを表示させる場合には、注意喚起コンテンツの表示を制限する。
【手続補正３】
【補正対象書類名】明細書
【補正対象項目名】０００８
【補正方法】変更
【補正の内容】
【０００８】
開示された表示制御プログラムのひとつは、車両（Ａ）において用いられ、ヘッドアップディスプレイ（２０）によるコンテンツの重畳表示を制御する表示制御プログラムであって、少なくとも１つの処理部（１１）に、車両の進行方向前方に注意地点（ＣＰ）が存在するか否かを判定し（Ｓ３０）、注意地点がヘッドアップディスプレイの画角（ＶＡ）内に含まれるか否かを判定し（Ｓ９０）、注意地点が存在すると判定し、且つ注意地点が画角内に含まれると判定した場合には、注意地点の存在を示す注意喚起コンテンツ（ＣＴｓｔｏｐ，ＣＴｃｗ，ＣＴｓｚ，ＣＴｃｓ）を、注意地点を重畳対象とする重畳コンテンツ（ＣＴｓ）として表示させ（Ｓ１２０）、注意地点が存在すると判定し、且つ注意地点が画角内に含まれないと判定した場合には、重畳対象が特定されない非重畳コンテンツ（ＣＴｎ）として注意喚起コンテンツを表示させ（Ｓ１３０）、注意地点の種別を判別し、判別した種別に関連付けられる注意喚起コンテンツにより、注意地点の存在を乗員に提示し、注意地点としての一時停止位置（ＳＰ）が進行方向前方に存在するか否かと、一時停止位置が踏切（ＲａＣ）に関連した注意地点であるか否かと、をさらに判定し、一時停止位置が存在すると判定され、且つ一時停止位置が踏切に関連していると判定した場合には、一時停止位置が踏切に関連していないと判定し場合よりも、一時停止位置を強調する様態で、一時停止位置の存在を提示する注意喚起コンテンツを表示させる、ことを含む処理を実行させる。
開示された表示制御プログラムの他のひとつは、車両（Ａ）において用いられ、ヘッドアップディスプレイ（２０）によるコンテンツの重畳表示を制御する表示制御プログラムであって、少なくとも１つの処理部（１１）に、車両の進行方向前方に注意地点（ＣＰ）が存在するか否かを判定し（Ｓ３０）、注意地点がヘッドアップディスプレイの画角（ＶＡ）内に含まれるか否かを判定し（Ｓ９０）、注意地点が存在すると判定し、且つ注意地点が画角内に含まれると判定した場合には、注意地点の存在を示す注意喚起コンテンツ（ＣＴｓｔｏｐ，ＣＴｃｗ，ＣＴｓｚ，ＣＴｃｓ）を、注意地点を重畳対象とする重畳コンテンツ（ＣＴｓ）として表示させ（Ｓ１２０）、注意地点が存在すると判定し、且つ注意地点が画角内に含まれないと判定した場合には、重畳対象が特定されない非重畳コンテンツ（ＣＴｎ）として注意喚起コンテンツを表示させ（Ｓ１３０）、注意地点の種別を判別し、判別した種別に関連付けられる注意喚起コンテンツにより、注意地点の存在を乗員に提示し、注意地点としての横断歩道（ＣＷ）が進行方向前方に存在するか否かと、横断歩道上又は横断歩道の周辺に横断者がいるか否かと、を判定し、横断歩道が存在すると判定し、且つ、横断者がいると判定した場合には、横断歩道の存在を乗員に提示する注意喚起コンテンツを表示させ、現在が夜間か否かを判定し、現在が夜間であると判定した場合には、横断者の有無にかかわらず、横断歩道を注意喚起コンテンツによって乗員に提示する、ことを含む処理を実行させる。
開示された表示制御プログラムの他のひとつは、車両（Ａ）において用いられ、ヘッドアップディスプレイ（２０）によるコンテンツの重畳表示を制御する表示制御プログラムであって、少なくとも１つの処理部（１１）に、車両の進行方向前方に注意地点（ＣＰ）が存在するか否かを判定し（Ｓ３０）、注意地点がヘッドアップディスプレイの画角（ＶＡ）内に含まれるか否かを判定し（Ｓ９０）、注意地点が存在すると判定し、且つ注意地点が画角内に含まれると判定した場合には、注意地点の存在を示す注意喚起コンテンツ（ＣＴｓｔｏｐ，ＣＴｃｗ，ＣＴｓｚ，ＣＴｃｓ）を、注意地点を重畳対象とする重畳コンテンツ（ＣＴｓ）として表示させ（Ｓ１２０）、注意地点が存在すると判定し、且つ注意地点が画角内に含まれないと判定した場合には、重畳対象が特定されない非重畳コンテンツ（ＣＴｎ）として注意喚起コンテンツを表示させ（Ｓ１３０）、注意地点の種別を判別し、判別した種別に関連付けられる注意喚起コンテンツにより、注意地点の存在を乗員に提示し、注意地点としての横断歩道（ＣＷ）が進行方向前方に存在するか否かと、横断歩道上又は横断歩道の周辺に横断者がいるか否かと、を判定し、横断歩道が存在すると判定し、且つ、横断者がいると判定した場合には、横断歩道の存在を乗員に提示する注意喚起コンテンツを表示させ、横断歩道についての信号機の有無を判定し、信号機があると判定した横断歩道を、注意喚起コンテンツによって存在を提示する提示対象から除外する、ことを含む処理を実行させる。
開示された表示制御プログラムの他のひとつは、車両（Ａ）において用いられ、ヘッドアップディスプレイ（２０）によるコンテンツの重畳表示を制御する表示制御プログラムであって、少なくとも１つの処理部（１１）に、車両の進行方向前方に注意地点（ＣＰ）が存在するか否かを判定し（Ｓ３０）、注意地点がヘッドアップディスプレイの画角（ＶＡ）内に含まれるか否かを判定し（Ｓ９０）、注意地点が存在すると判定し、且つ注意地点が画角内に含まれると判定した場合には、注意地点の存在を示す注意喚起コンテンツ（ＣＴｓｔｏｐ，ＣＴｃｗ，ＣＴｓｚ，ＣＴｃｓ）を、注意地点を重畳対象とする重畳コンテンツ（ＣＴｓ）として表示させ（Ｓ１２０）、注意地点が存在すると判定し、且つ注意地点が画角内に含まれないと判定した場合には、重畳対象が特定されない非重畳コンテンツ（ＣＴｎ）として注意喚起コンテンツを表示させ（Ｓ１３０）、注意地点の種別を判別し、判別した種別に関連付けられる注意喚起コンテンツにより、注意地点の存在を乗員に提示し、注意地点としての横断歩道（ＣＷ）が進行方向前方に存在するか否かと、横断歩道上又は横断歩道の周辺に横断者がいるか否かと、を判定し、横断歩道が存在すると判定し、且つ、横断者がいると判定した場合には、横断歩道の存在を乗員に提示する注意喚起コンテンツを表示させ、横断歩道のリスクレベルを判定し、横断歩道のリスクレベルが閾値よりも高いと判定した場合、横断者の有無にかかわらず、横断歩道を注意喚起コンテンツによって乗員に提示する、ことを含む処理を実行させる。
開示された表示制御プログラムの他のひとつは、車両（Ａ）において用いられ、ヘッドアップディスプレイ（２０）によるコンテンツの重畳表示を制御する表示制御プログラムであって、少なくとも１つの処理部（１１）に、車両の進行方向前方に注意地点（ＣＰ）が存在するか否かを判定し（Ｓ３０）、注意地点がヘッドアップディスプレイの画角（ＶＡ）内に含まれるか否かを判定し（Ｓ９０）、注意地点が存在すると判定し、且つ注意地点が画角内に含まれると判定した場合には、注意地点の存在を示す注意喚起コンテンツ（ＣＴｓｔｏｐ，ＣＴｃｗ，ＣＴｓｚ，ＣＴｃｓ）を、注意地点を重畳対象とする重畳コンテンツ（ＣＴｓ）として表示させ（Ｓ１２０）、注意地点が存在すると判定し、且つ注意地点が画角内に含まれないと判定した場合には、重畳対象が特定されない非重畳コンテンツ（ＣＴｎ）として注意喚起コンテンツを表示させ（Ｓ１３０）、注意地点の種別を判別し、判別した種別に関連付けられる注意喚起コンテンツにより、注意地点の存在を乗員に提示し、注意地点としてのスクールゾーン（ＳＺ）が進行方向前方に存在するか否かと、スクールゾーンの交通規制が有効な規制時間帯に現在が含まれるか否かと、を判定し、スクールゾーンが存在すると判定し、且つ、現在が規制時間帯に含まれると判定した場合には、スクールゾーンの存在を乗員に提示する注意喚起コンテンツを表示させ、スクールゾーンのリスクレベルを判定し、スクールゾーンのリスクレベルが閾値よりも高いと判定した場合、規制時間帯か否かにかかわらず、スクールゾーンを注意喚起コンテンツによって乗員に提示する、ことを含む処理を実行させる。
開示された表示制御プログラムの他のひとつは、車両（Ａ）において用いられ、ヘッドアップディスプレイ（２０）によるコンテンツの重畳表示を制御する表示制御プログラムであって、少なくとも１つの処理部（１１）に、車両の進行方向前方に注意地点（ＣＰ）が存在するか否かを判定し（Ｓ３０）、注意地点がヘッドアップディスプレイの画角（ＶＡ）内に含まれるか否かを判定し（Ｓ９０）、注意地点が存在すると判定し、且つ注意地点が画角内に含まれると判定した場合には、注意地点の存在を示す注意喚起コンテンツ（ＣＴｓｔｏｐ，ＣＴｃｗ，ＣＴｓｚ，ＣＴｃｓ）を、注意地点を重畳対象とする重畳コンテンツ（ＣＴｓ）として表示させ（Ｓ１２０）、注意地点が存在すると判定し、且つ注意地点が画角内に含まれないと判定した場合には、重畳対象が特定されない非重畳コンテンツ（ＣＴｎ）として注意喚起コンテンツを表示させ（Ｓ１３０）、車両の走行速度を制御する車速制御機能部（５０ａ）の制御情報を取得し、注意地点の手前側にて車速制御機能部による減速制御が実施される場合、減速制御の実施区間（ＤｅＳ１，ＤｅＳ２）を重畳対象として含む減速通知コンテンツ（ＣＴｄ１，ＣＴｄ２，ＣＴｄｃ）を表示させ、注意喚起コンテンツよりも注意地点を強調する強調コンテンツ（ＣＴＥ）を、注意地点を重畳対象として表示させる、ことを含む処理を実行させる。
開示された表示制御プログラムの他のひとつは、車両（Ａ）において用いられ、ヘッドアップディスプレイ（２０）によるコンテンツの重畳表示を制御する表示制御プログラムであって、少なくとも１つの処理部（１１）に、車両の進行方向前方に注意地点（ＣＰ）が存在するか否かを判定し（Ｓ３０）、注意地点がヘッドアップディスプレイの画角（ＶＡ）内に含まれるか否かを判定し（Ｓ９０）、注意地点が存在すると判定し、且つ注意地点が画角内に含まれると判定した場合には、注意地点の存在を示す注意喚起コンテンツ（ＣＴｓｔｏｐ，ＣＴｃｗ，ＣＴｓｚ，ＣＴｃｓ）を、注意地点を重畳対象とする重畳コンテンツ（ＣＴｓ）として表示させ（Ｓ１２０）、注意地点が存在すると判定し、且つ注意地点が画角内に含まれないと判定した場合には、重畳対象が特定されない非重畳コンテンツ（ＣＴｎ）として注意喚起コンテンツを表示させ（Ｓ１３０）、車両の走行速度を制御する車速制御機能部（５０ａ）の制御情報を取得し、注意地点の手前側にて車速制御機能部による減速制御が実施される場合、減速制御の実施区間（ＤｅＳ１，ＤｅＳ２）を重畳対象として含む減速通知コンテンツ（ＣＴｄ１，ＣＴｄ２，ＣＴｄｃ）を表示させ、減速通知コンテンツを表示させる場合には、注意喚起コンテンツの表示を制限する、ことを含む処理を実行させる。